(57)【要約】【課題】メダル容器１２に収納されたＩＣメダルを一括計数でき、無効なメダルの混入を短時間で確認できるＩＣメダル計数機を提供する。【解決手段】計数機本体９と、計数台１０と、計数された枚数を表示する表示部１１より構成され、ＩＣメダルのアンチコリジョン機能を利用し有効なメダルMのみを一括計数し、ＩＣ内蔵の有効なメダルのみの総重量と、計数される全てのメダルの総重量とを比較し、無効なメダルの混入の有無を確認できるようにした。【選択図】図３
2006280660.tif 000002
【特許請求の範囲】
【請求項１】
ＩＣメダルのアンチコリジョン機能を利用してＩＣ内蔵の有効なメダルのみを一括計数できる、ＩＣメダル計数機。
【請求項２】
請求項１のＩＣメダル計数機は、ＩＣ内蔵の有効なメダルのみの総重量と、計数される全てのメダルの総重量とを比較し、無効なメダルの混入の有無を確認できるＩＣメダル計数機。
【発明の詳細な説明】
【技術分野】
【０００１】
本発明は、パチンコホールや、ゲームセンター等の遊技場に設置されているメダル等の遊技媒体の計数に用いる計数機に関する。
【背景技術】
【０００２】
従来、パチンコホールやゲームセンター等の遊技場で使用される遊技媒体であるメダルは、どの遊技場においても外径や、重量がほぼ同一である。
【０００３】
また、記識別機能付円板状体（ＩＣメダル）計数装置としては、特許文献１に示すものがある。この文献に明示された計数装置は、投入した識別機能付円板状体の数を計数する計数装置において、前記識別機能付円板状体を投入する投入口に連通した搬送路と、当該搬送路に連通し、真正な円板状体及び不正使用の円板状体を選択分別して搬送する分岐搬送路と、前記真正な円板状体が搬送される側の分岐搬送路に当該分岐搬送路を通過する真正な円板状体の数を計数する計数手段と、前記搬送路の途中にあって、少なくとも一つのアンテナを備えたアンテナゲート部と、当該アンテナより電磁波を送出させるための電磁波発生手段と、前記アンテナで受信した、前記識別機能付円板状体が発した識別情報を復調する復調手段と、当該復調手段で復調された前記識別情報と、予め蓄積していた識別情報とを比較し双方の識別情報の一致、不一致を判断する比較手段と、当該比較手段の出力に応じて前記分岐搬送路を切替えるセレクター手段とを有する構成によって、達成される。構成が下記の文献にて開示されている。
【０００４】
【特許文献１】特開２００３−５２９０３
【発明の開示】
【発明が解決しようとする課題】
【０００５】
しかしながら、上記に示す従来技術においては、パチンコホールやゲームセンター等の遊技場で使用される遊技媒体であるメダルは、どの遊技場においても外径や、重量がほぼ同一であるために、ある遊技場にて取得された遊技媒体が他の遊技場に持ち込まれて遊技に使用される場合があり、これら不正に持ち込まれた他の遊技場等のメダルがメダル計数機に投入されて計数された場合には、遊技場が不利益を被ることになるという問題があった。
【０００６】
また、特許文献１においては、メダルをメダル容器より計数機の投入口に投入し搬送路を通過させ有効なメダルが発した識別情報の一致、不一致を搬送路にて計数を行なっているので、重量のある多量のメダルを遊技者が計数機に投入する手間がある。
【０００７】
また、識別情報の比較判断を搬送路にて一枚ずつ行なっているので、有効なメダルの計数に時間が掛かる等の課題があった。
【０００８】
そこで本発明は、ＩＣメダルのアンチコリジョン機能を利用してＩＣ内蔵の有効なメダルのみを一括計数できる、ＩＣメダル計数機を提供することにある。
【０００９】
また、ＩＣ内蔵の有効なメダルのみの総重量と、計数される全てのメダルの総重量とを比較し、無効なメダルの混入の有無を短時間で確認できるＩＣメダル計数機を提供することにある。
【課題を解決するための手段】
【００１０】
上記の問題を解決するために、ＩＣメダルのアンチコリジョン機能を利用してＩＣ内蔵の有効なメダルのみを一括計数でき、ＩＣ内蔵の有効なメダルのみの総重量と、計数される全てのメダルの総重量とを比較し、無効なメダルの混入の有無を短時間で確認できることを特徴とする。
【発明の効果】
【００１１】
本発明によれば、メダルをメダル容器より計数機の投入口に投入し、搬送路を通過させ有効なメダルが発した識別情報の一致、不一致を版走路にて比較判断して計数する従来技術と比較して、メダル容器に収容されたままで、ＩＣメダルのアンチコリジョン機能を利用してＩＣ内蔵の有効なメダルのみを一括計数できる。従って、重量のある多量のメダルを遊技者が計数機に投入する手間及び、一括計数により計数時間の短縮が図れる。
【００１２】
また、メダル容器に収容されたままで、ＩＣメダルのアンチコリジョン機能を利用してＩＣ内蔵の有効なメダルのみの総重量と、計数される全てのメダルの総重量とを比較し、無効なメダルの混入の有無を短時間で確認できる。
【発明を実施するための最良の形態】
【００１３】
以下、本発明の実施形態を添付の図面に基づいて説明する。
【実施例１】
【００１４】
金属性のメダル基体２の表面２ａに絶縁層２ｂを介して、外部装置（不図示）から発射された電磁波を受信すると共に蓄積した識別情報を外部に放射するためのアンテナ３と、当該アンテナ３に接続した識別情報を蓄積するＩＣチップ４とから成り、これら構成要素の上を樹脂５でコーティングして保護している。また、アンテナ３は扁平な導体コイルよりなり、円板状のＩＣメダル１等の外縁部に沿って設けられている。
【００１５】
ＩＣチップ４は、図２に示すように外部装置（不図示）から発射された電磁波を受信して電力を生成する電源発生手段６と、電力の発生に伴って蓄積された識別情報を送出する蓄積手段７とを備えており、アンテナ３の一端が電源発生手段６に他端が蓄積手段７に接続した構成を成している。尚、蓄積手段７は、電波の形式で伝送された識別情報を電子データの識別情報に復調する復調手段と、蓄積手段７から読み出した電子データの識別情報を電波形式の識別情報に変調する変調手段をも含むものである。
【００１６】
本発明によるＩＣメダル計数機８は、計数機本体９と、計数台１０と、計数された枚数を表示する表示部１１より構成されている。
【００１７】
前記ＩＣメダル計数機の計数台１０にメダル容器１２に収容されているメダルＭ、Ｍ・・・を載せることにより、前記メダル容器１０内の全てのメダルＭ、Ｍ・・・の識別情報を外部に放射するためのアンテナ３からの情報をＩＣコイン１の特徴の一つである、同時に複数の識別情報を読み取ることのできるアンチコリジョン機能を利用して読み取り、有効なメダルＭの計数を行なう。
【００１８】
前記有効なメダルＭの計数を行なうと同時に、メダル容器１２に収容されたメダルＭ、Ｍ・・・の総重量を計量する。
【００１９】
また、識別情報により計数された有効なメダルの総数より、該有効なメダルの総重量を算出する。
【００２０】
上記で計量されたメダルＭの総重量と有効なメダルの総重量とを比較した重量の差より、計量されたメダル容器１２内に、有効でないメダルＭが混入していることを確認できる。
【産業上の利用可能性】
【００２１】
本発明のＩＣメダル計数機は、例えばパチンコホールや、ゲームセンター等の遊技場に設置されているメダル等の遊技媒体の計数に用いる計数機において、ＩＣメダルのアンチコリジョン機能を利用してＩＣ内蔵の有効なメダルのみを一括計数し、ＩＣ内蔵の有効なメダルのみの総重量と、計数される全てのメダルの総重量とを比較し、無効なメダルの混入の有無を確認できるＩＣメダル計数機として利用が可能となる。
【図面の簡単な説明】
【００２２】
【図１】本発明に係るＩＣメダルの概略構成図である。
【図２】本発明に係るＩＣメダルの識別機能の回路構成を示した概略ブロック図である。
【図３】本発明の実施例１に係わるＩＣメダル計数機の概略図である。
【符号の説明】
【００２３】
１  ＩＣメダル
２  メダル基体（金属機体）
２ａ  表面
２ｂ  絶縁層
３  アンテナ
４  ＩＣチップ
５  樹脂
６  電源発生手段
７  蓄積手段
８  ＩＣメダル計数機
９  計数機本体
１０  計数台
１１  表示部
１２  メダル容器
Ｍ  メダル
【図１】
2006280660.tif 000003
【図２】
2006280660.tif 000004
【図３】
2006280660.tif 000005